(57)【要約】      （修正有）【課題】動作特性にバラツキが少なく、薄型のスイッチを提供する。【解決手段】ハウジング内に収納され、かつ、表裏面に固定接点部３３ａ〜３５ａをそれぞれ接離可能に露出させた回路基板３０と、前記ハウジングに往復移動可能に装着され、かつ、前記回路基板３０の表面から露出する前記固定接点部に摺接する可動接触片４２を有する押しボタン４０と、前記ハウジングに往復移動可能に装着され、かつ、前記回路基板３０の裏面から露出する前記固定接点部３３ａ，３５ａに摺接する可動接触片を有するスライドボタン６０と、からなるスイッチである。【選択図】図３
2015109187.tif 000002
【特許請求の範囲】
【請求項１】
ハウジング内に収納され、かつ、表裏面に少なくとも一対の固定接点部をそれぞれ接離可能に露出させた回路基板と、
前記ハウジングに往復移動可能に装着され、かつ、前記回路基板の片面から露出する前記固定接点部に摺接する可動接触片を有する少なくとも１つの操作部材と、
前記ハウジングに往復移動可能に装着され、かつ、前記回路基板の残る片面から露出する前記固定接点部に摺接する可動接触片を有する少なくとも１つの他の操作部材と、
からなることを特徴とするスイッチ。
【請求項２】
前記ハウジングに往復移動可能に装着され、かつ、前記回路基板の片面から露出する前記固定接点部に摺接する可動接触片を有する第１操作部材と、
前記ハウジングに往復移動可能に装着され、かつ、前記回路基板の残る片面から露出する前記固定接点部に摺接する可動接触片を有する第２操作部材と、
からなることを特徴とする請求項１に記載のスイッチ。
【請求項３】
前記第１操作部材が前記ハウジングの表面に対して交差する方向に往復移動するとともに、前記第２操作部材が前記ハウジングの表面に沿って往復移動することを特徴とする請求項２に記載のスイッチ。
【請求項４】
前記第１，第２操作部材のいずれもが、前記ハウジングの表面に対して交差する方向に往復移動することを特徴とする請求項２に記載のスイッチ。
【請求項５】
前記第１，第２操作部材のいずれもが、前記ハウジングの表面に沿って往復移動することを特徴とする請求項２に記載のスイッチ。
【発明の詳細な説明】
【技術分野】
【０００１】
スイッチ、特に、３方向の操作によって接点を切り換えるスイッチに関する。
【０００２】
従来、３方向の操作によって接点を切り換えるスイッチとしては、例えば、自動車をオートマチック運転からマニュアル運転に切り換えた後、ギヤチェンジするための車載用スイッチがある。
【背景技術】
【０００３】
前述のような車載用スイッチとしては、例えば、検知対象物の第一の方向への移動及び当該第一の方向に直交する第二の方向への移動を検知するスイッチユニットであって、前記検知対象物の第一の方向への移動に連動して当該第一の方向へ移動する第一の移動体と、前記第一の移動体の前記第一の方向における位置を検出する第一の検知部を有する第一の基板と、前記第一の方向に直交する第二の方向への前記検知対象物の移動に連動して当該第二の方向へ移動する第二の移動体と、前記第二の移動体の前記第二の方向における位置を検出する第二の検知部を有する第二の基板とを備えることを特徴とするスイッチユニットがある（特許文献１参照）。
【先行技術文献】
【特許文献】
【０００４】
【特許文献１】特開２０１２−０５９６０３号公報
【発明の概要】
【発明が解決しようとする課題】
【０００５】
しかしながら、前述のスイッチでは、その図４，５に示すように、２軸方向の出力を検知するために各軸ごとに独立した成形板２３１と成形板３３１とが必要である。特に、前記成形板２３１と前記成形板３３１とは略直角となるようにインサート成形後に固定端子２４２を折り曲げる必要があり、高い位置決め精度が得にくく、動作特性にバラツキが生じやすい。
また、前述のスイッチでは、前記成形板２３１と前記成形板３３１とが略直角となるように固定端子２４２を折り曲げているので、スイッチの体積が増大し、スイッチの薄型化が困難であるという問題点がある。
本発明に係るスイッチは、前記問題点を解決すべく、動作特性にバラツキが少なく、薄型のスイッチを提供することを課題とする。
【課題を解決するための手段】
【０００６】
本発明に係るスイッチは、前記課題を解決すべく、ハウジング内に収納され、かつ、表裏面に少なくとも一対の固定接点部をそれぞれ接離可能に露出させた回路基板と、前記ハウジングに往復移動可能に装着され、かつ、前記回路基板の片面から露出する前記固定接点部に摺接する可動接触片を有する少なくとも１つの操作部材と、前記ハウジングに往復移動可能に装着され、かつ、前記回路基板の残る片面から露出する前記固定接点部に摺接する可動接触片を有する少なくとも１つの他の操作部材と、からなる構成としてある。
【０００７】
特に、本発明に係る実施形態としては、前記ハウジングに往復移動可能に装着され、かつ、前記回路基板の片面から露出する前記固定接点部に摺接する可動接触片を有する第１操作部材と、前記ハウジングに往復移動可能に装着され、かつ、前記回路基板の残る片面から露出する前記固定接点部に摺接する可動接触片を有する第２操作部材と、を有していてもよい。
【発明の効果】
【０００８】
本発明によれば、回路基板の表裏面に少なくとも一対の固定接点部をそれぞれ露出させてあるので、従来例のように成形後に固定端子を折り曲げる必要がなく、固定接点部に高い位置決め精度が得られ、動作特性にバラツキのないスイッチが得られる。
また、本発明によれば、従来例のように折り曲げる必要のない回路基板であるので、スイッチの体積が増大せず、薄型のスイッチが得られる。
【０００９】
本発明の異なる実施形態としては、前記第１操作部材が前記ハウジングの表面に対して交差する方向に往復移動するとともに、前記第２操作部材が前記ハウジングの表面に沿って往復移動する構成であってもよい。
本実施形態によれば、複雑な３方向の操作に対応できるスイッチが得られる。
【００１０】
本発明の他の実施形態としては、前記第１，第２操作部材のいずれもが、前記ハウジングの表面に対して交差する方向に往復移動する構成としてもよい。
本実施形態によれば、押圧操作だけで操作できるスイッチが得られる。
【００１１】
本発明の別の実施形態としては、前記第１，第２操作部材のいずれもが、前記ハウジングの表面に沿って往復移動してもよい。
本実施形態によれば、スライド操作だけで操作できるスイッチが得られるという効果がある。
【図面の簡単な説明】
【００１２】
【図１】図Ａ，Ｂは本発明に係るスイッチの第１実施形態を異なる角度から視た全体斜視図である。
【図２】図Ａ，Ｂは図１Ｂで図示したスイッチの部分破断斜視図および異なる角度から視た部分破断斜視図である。
【図３】図１Ａで図示したスイッチの分解斜視図である。
【図４】図１Ａで図示したスイッチを異なる角度から視た分解斜視図である。
【図５】図Ａ，Ｂは図３，４で図示したベースの斜視図および回路基板の正面図である。
【図６】図Ａ，Ｂは図１で示したスイッチの動作前後を示す縦断面図である。
【図７】図Ａ，Ｂは図１で示したスイッチの動作前後を示す平面断面図である。
【図８】図１で示したスイッチの他の動作後を示す平面断面図である。
【図９】図Ａ，Ｂは本発明に係るスイッチの第２実施形態の動作前後を示す全体斜視図である。
【図１０】図９に図示したスイッチの分解斜視図である。
【図１１】図９に図示したスイッチを異なる角度から視た分解斜視図である。
【図１２】図Ａ，Ｂは図１０，１１で図示したベースの斜視図および回路基板の正面図である。
【図１３】図Ａ，Ｂは図９に図示したスイッチの平面断面図および縦断面図である。
【図１４】図Ａ，Ｂは本発明に係るスイッチの第３実施形態の動作前後を示す全体斜視図である。
【図１５】図１４Ａで図示したスイッチの分解斜視図である。
【図１６】図１４Ａで図示したスイッチを異なる角度から視た分解斜視図である。
【図１７】図Ａ，Ｂは図１５，１６で示したベースの斜視図および回路基板の正面図である。
【図１８】図Ａ，Ｂは図１５，１６で示したスイッチの動作前後を示す平面断面図である。
【発明を実施するための形態】
【００１３】
本発明に係るスイッチの実施形態を図１ないし図１８の添付図面に従って説明する。
第１実施形態に係るスイッチは、図１ないし図８に示すように、ベース１０と、回路基板３０と、第１操作部材である押しボタン４０と、前記押しボタン４０を復帰させる第１コイルバネ５０と、第２操作部材であるスライドボタン６０と、前記スライドボタンを復帰させる第２コイルバネ７０と、カバー８０と、で構成されている。
【００１４】
前記ベース１０は、図５Ａに示すように、その上面に後述する回路基板３０を収納する収納溝１１を設けてある。前記収納溝１１は、その一方側に設けた嵌合凹部１２に連通するとともに、その他方側に設けたスライド溝１３に連通している。前記嵌合凹部１２は、その底面に位置決め突部１２ａを突設してある。また、前記スライド溝１３は、その外方側に設けた切り欠き部１３ａを介して外部に連通しているとともに、前記切り欠き部１３ａの外側縁部には断面略Ｈ字形状の保護リブ１４を設けてある。そして、前記スライド溝１３は、その一端部を切り欠き溝１１ａを介して端子収納凹部１５に連通している。前記端子収納凹部１５の底面には、一対の位置決め突起１５ａ，１５ａを設けてある。さらに、前記ベース１０は、対向する側面隅部に一対の取付用弾性爪部１６，１６をそれぞれ設けてある一方、対向する他の側面に一対の係合突起１７，１７をそれぞれ設けてある。前記他の側面の外周縁部には保護リブ１８を設けてある。そして、前記ベース１０は、前記端子収納凹部１５の直下に位置する底面から略環状方形のコネクタ受け部１９を突設してある（図３，４参照）。
【００１５】
回路基板３０は、図５Ｂに示すように、５本の固定接点端子３１〜３５の固定接点部３１ａ〜３５ａを面一にインサート成形した断面略Ｌ字形の成形品である。前記第１，第２固定接点端子３１，３２の第１，第２固定接点部３１ａ，３２ａは前記回路基板３０の両面から露出している一方、第３，第４，第５固定接点端子３３，３４，３５の第３，第４，第５固定接点部３３ａ，３４ａ，３５ａは前記回路基板３０の片面のみから露出している。また、第３，第４，第５固定接点部３３ａ，３４ａ，３５ａが露出する面には一対のガイドリブ３６ａ，３６ｂが同一直線状に水平に突設されている。そして、前記回路基板３０の上端縁部から片側側方に延在する帯状リブ３０ａは前記ベース１０のスライド溝１３を被覆する平面形状を有している。さらに、第１ないし第５固定接点端子３１〜３５の端子部３１ｂ〜３５ｂは所定のピッチで並ぶように支持板３７で支持されている。前記支持板３７は、その同一辺に一対の係止爪３７ａ，３７ａを並設してある（図４参照）。
【００１６】
なお、第１，第２固定接点端子３１，３２の第１，第２固定接点部３１ａ，３２ａは必ずしも前記回路基板３０の両面から露出する必要はなく、絶縁性を高めるため、前記第１，第２固定接点部３１ａ，３２ａも前記回路基板３０の片面からのみ露出するようにインサート成形してもよい。
【００１７】
押しボタン４０は、図３および図４に示すように、前記ベース１０の嵌合凹部１２に嵌合可能な平面形状を有するとともに、その上端部に操作突部４１を有している。また、前記押しボタン４０は、その内向面に一対の弾性接点部４２ａ，４２ａを備えた可動接触片４２をカシメ固定してあるとともに、その底面に第１コイルバネ５０を収納できる凹部４３を設けてある。前記弾性接点部４２ａは接触信頼性を高めるためにツイン接点構造となっている。
【００１８】
スライドボタン６０は、図３に示すように、前記ベース１０の切り欠き部１３ａを介してスライド溝１３にスライド可能に嵌合できる平面形状を有している。そして、前記スライドボタン６０は、図４に示すように、その内向面に設けた収納溝６１に前記第２コイルバネ７０を収納できるとともに、前記収納溝６１の両側に前記回路基板３０のガイドリブ３６ａ，３６ｂに嵌合するガイドスリット６１ａ，６１ｂを設けてある。前記ガイドスリット６１ａ，６１ｂの下方側には一対の弾性接点部６２ａ，６２ａを備えた可動接触片６２をカシメ固定してある。前記弾性接点部６２ａは接触信頼性を高めるためにツイン接点構造となっている。さらに、前記スライドボタン６０は、その外向面に操作リブ６３を側方に突設してある。
【００１９】
カバー８０は、前記ベースを被覆可能な平面形状を有し、その天井面に操作孔８１を設けてあるとともに、前記回路基板３０の支持板３７を抜け止めする断面コ字形の支持突起８２を設けてある。また、前記カバー８０は、その対向する辺の縁部に一対の略Ｕ字形の係合爪８３をそれぞれ設けてある。
【００２０】
前述の構成部品の組立方法について説明する。
まず、スライドボタン６０の収納溝６１に第２コイルバネ７０を嵌合するとともに、前記スライドボタン６０のガイドスリット６１ａ，６１ｂを回路基板３０のガイドリブ３６ａ，３６ｂに嵌合したままの状態で、ベース１０の収納溝１１に前記回路基板３０を位置決めする。これと同時に、前記回路基板３０にインサート成形した第１ないし第５固定接点端子３１〜３５の第１ないし第５端子部３１ｂ〜３５ｂを前記ベース１０の端子収納凹部１５内に挿入し、支持板３７の一対の係止爪３７ａを前記端子収納凹部１５の底面に設けた一対の１５ａ位置決め突起に係合して位置決めする。これにより、前記第１ないし第５端子部３１ｂ〜３５ｂはコネクタ受け部１９内に突出する。
そして、前記ベース１０の嵌合凹部１２の底面に設けた位置決め突部１２ａに第１コイルバネ５０を嵌合するとともに、可動接触片４２をカシメ固定した押しボタン４０を前記嵌合凹部１２に嵌合する。これにより、一対の弾性接点部４２ａは前記回路基板３０にインサート成形した第１，第２固定接点部３１ａ，３２ａにそれぞれ接離可能となる。これにより、スライドボタン６０の操作リブ６３は前記ベース１０の保護リブ１４内でスライド可能となる。そして、前記ベース１０の上方からカバー８０を位置決めし、その係合爪８３を前記ベース１０の係合突起１７に係合することにより、抜け止めする。このとき、カバー８０の操作孔８１から押しボタン４０の操作突部４１が操作可能に突出する。また、前記カバー８０の天井面に突設した支持突起８２が回路基板３０に設けた支持板３７を押さえ、ガタツキを防止する。
【００２１】
次に、前記スイッチの操作方法について説明する。操作例としては、例えば、図示しない乗用車をシフトレバーの操作でオートマチック運転からマニュアル運転に切り換えた後、ギヤチェンジを行う場合が挙げられる。
【００２２】
まずは、操作前では、図６Ａに示すように、押しボタン４０が第１コイルバネ５０に付勢されて上方に位置し、弾性接点部４２ａは回路基板３０に圧接しているが、第１，第２固定接点部３１ａ，３２ａには接触していない。また、図７Ａに示すように、スライドボタン６０に設けた弾性接点部６２ａも回路基板３０に設けた第３ないし第５固定接点部３３ａ〜３５ａには接触していない。
【００２３】
そして、乗用車のシフトレバーを倒すと、前記シフトレバーが前記押しボタン４０の操作突部４１を第１コイルバネ５０のバネ力に抗して押し下げ、弾性接点部４２ａ，４２ａが第１，第２固定接点部３１ａ，３２ａに接触し、第１，第２固定接点端子３１，３２が導通し、信号が出力される。これにより、オートマチック運転からマニュアル運転に切り替わる。
【００２４】
ついで、前記シフトレバーを倒したままの状態で前記シフトレバーを片側に回動させると、第２コイルバネ７０のバネ力に抗して前記シフトレバーに係合する操作リブ６３が片側にスライド移動する。このため、スライドボタン６０に取り付けた弾性接点部６２ａ，６２ａが第４，第５固定接点部３４ａ，３５ａに接触して第４，第５固定接点端子３４，３５を導通し、信号が出力されてギヤが１段階、チェンジアップする。ついで、操作力を緩めると、シフトレバーが中立位置に自動復帰するが、再度、前記シフトレバーを前述と同一方向に回動させると、同様に弾性接点部６２ａ，６２ａが第４，第５固定接点部３４ａ，３５ａに接触し、第４，第５固定接点端子３４，３５が導通し、信号が出力されてギヤが１段階、更にチェンジアップする。
【００２５】
操作力を緩めると、前記シフトレバーは中立位置に自動復帰する。そして、前述と逆方向にシフトレバーを回動すると、弾性接点部６２ａ，６２ａは第３，第５固定接点部３３ａ，３５ａに接触して第３，第５固定接点端子３３，３５を導通し、信号が出力されてギヤが１段階、チェンジダウンする。そして、操作力を緩めると、シフトレバーは再び中立位置に自動復帰する。
【００２６】
ついで、シフトレバーを元の位置に復帰させると、前記押しボタン４０に対する押圧が解除され、第１コイルバネ５０のバネ力で前記押しボタン４０が押し上げられ、弾性接点部４２ａ，４２ａが第１，第２固定接点部３１ａ，３２ａから開離し、マニュアル運転からオートマチック運転に復帰する。
【００２７】
第２実施形態は、図９ないし図１３に図示するように、ベース１０と、回路基板３０と、第１，第２押しボタン４０，４５と、前記第１，第２押しボタン４０，４５を復帰させる第１，第２コイルバネ５０，５１と、カバー８０と、で構成されている。
【００２８】
前記ベース１０は、図１２Ａに示すように、その上面に後述する回路基板３０を収納する収納溝１１を設けてある。前記収納溝１１は、その一方側に設けた第１嵌合凹部１２に連通するとともに、その他方側に設けた第２嵌合凹部２０に連通している。前記第１嵌合凹部１２は、その底面に位置決め突部１２ａを突設してある。他は前述の第１実施形態とほぼ同様であるので、同一部分に同一番号を付して説明を省略する。
【００２９】
回路基板３０は、図１２Ｂに示すように、５本の固定接点端子３１〜３５の固定接点部３１ａ〜３５ａを面一にインサート成形した板状の成形品である。そして、第４，第５固定接点端子３４，３５の第４，第５固定接点部３４ａ，３５ａは、前記回路基板３０の両面から露出している一方、第１，第２，第３固定接点端子３１〜３３の第１，第２，第３固定接点部３１ａ〜３３ａは、前記回路基板３０の片面のみから露出している。また、第１ないし第５固定接点端子３１〜３５の端子部３１ｂ〜３５ｂは所定のピッチで並ぶように支持板で支持されている。前記支持板３７は、その同一辺に一対の係止爪３７ａ，３７ａを設けてある。
【００３０】
なお、第４，第５固定接点端子３４，３５の第４，第５固定接点部３４ａ，３５ａは必ずしも前記回路基板３０の両面から露出する必要はなく、絶縁性を高めるため、前記第４，第５固定接点部は前記回路基板３０の片面からのみ露出するようにしてもよい。
【００３１】
第１，第２押しボタン４０，４５は、図１０および図１１に示すように、前記ベース１０の第１，第２嵌合凹部１２，２０にそれぞれ嵌合可能な平面形状を有するとともに、その上端部に操作突部４１，４６をそれぞれ有している。また、前記第１，第２押しボタン４０，４５は、その内向面に一対の弾性接点部４２ａ，４７ａをそれぞれ備えた可動接触片４２，４７をそれぞれカシメ固定してあるとともに、その底面に第１，第２コイルバネ５０，５１を収納できる凹部４３，４８をそれぞれ設けてある。そして、前記弾性接点部４２ａ，４７ａは接触信頼性を高めるためにそれぞれツイン接点構造となっている。
【００３２】
カバー８０は、前記ベース１０を被覆可能な平面形状を有し、その天井面に一対の操作孔８１，８４を設けてあるとともに、前記回路基板３０の支持板３７を抜け止めする断面コ字形の支持突起８２を設けてある。また、前記カバー８０は、その対向する辺の縁部に一対の略Ｕ字形の係合爪８３，８３をそれぞれ設けてある。
【００３３】
前述の構成部品の組立方法について説明する。
まず、ベース１０の収納溝１１に前記回路基板を位置決めする。これと同時に、前記回路基板３０にインサート成形した第１ないし第５固定接点端子３１〜３５の第１ないし第５端子部３１ｂ〜３５ｂを前記ベース１０内の端子収納凹部１５内に挿入し、支持板３７の一対の係止爪３７ａを前記端子収納凹部１５の底面に設けた一対の位置決め突起１５ａにそれぞれ係合して位置決めする。これにより、前記第１ないし第５端子部３１ｂ〜３５ｂはコネクタ受け部１９内に突出する。そして、前記ベース１０の第１，第２嵌合凹部１２，２０に第１，第２コイルバネ５０，５１を嵌合するとともに、可動接触片４２，４７をそれぞれカシメ固定した第１，第２押しボタン４０，４５を前記嵌合凹部１２，２０に嵌合する。これにより、第１押しボタン４０の一対の弾性接点部４２ａ，４２ａは、前記回路基板３０にインサート成形した第３，第４固定接点部３４ａ，３５ａに接離可能となるとともに、第２押しボタン４５の一対の弾性接点部４７ａ，４７ａは、共通固定接点部である第１固定接点部３１ａと、第２固定接点部３２ａあるいは第３固定接点部３３ａとに接離可能となる。そして、前記ベース１０の上方からカバー８０を位置決めし、その係合爪８３を前記ベース１０の係合突起１７に係合することにより、抜け止めする。このとき、カバー８０の操作孔８１，８４から第１，第２押しボタン４０，４５の操作突部４１，４６がそれぞれ操作可能に突出する。また、前記カバー８０の天井面に突設した支持突起８２が回路基板３０に設けた支持板３７を押さえ、ガタツキを防止する。
【００３４】
次に、前記スイッチの操作方法について説明する。
まずは、操作前では、図１３Ｂに示すように、押しボタン４０，４５が第１，第２コイルバネ５０，５１に付勢されて上方に位置し、弾性接点部４２ａおよび弾性接点部４７ａは、回路基板３０に圧接している。そして、弾性接点部４２ａは第４，第５固定接点部３４ａ，３５ａに接触していないが、弾性接点部４７ａは第１，第２固定接点部３１ａ，３２ａに接触し、導通している。
【００３５】
そして、第１押しボタン４０の操作突部４１を第１コイルバネ５０のバネ力に抗して押し下げると、弾性接点部４２ａが第４，第５固定接点部３４ａ．３５ａに接触し、第４，第５固定接点端子が導通し、信号が出力される。
【００３６】
ついで、第１押しボタン４０を押し下げたままの状態で第２押しボタン４５を押し下げると、第２コイルバネ５１のバネ力に抗して可動接触片４７が下降し、第２押しボタン４５の一対の弾性接点部４７ａが第１，第３固定接点部３１ａ，３３ａに接触し、第１，第３固定接点端子が導通し、信号が出力される。そして、第１，第２押しボタン４０，４５に対する押圧力を解除すると、第１，第２コイルバネ５０，５１のバネ力で第１，第２押しボタン４０，４５が元の位置に復帰する。
【００３７】
第３実施形態に係るスイッチは、図１４ないし図１８に図示するように、ベース１０と、回路基板３０と、第１，第２スライドボタン６０，６５と、第１，第２スライドボタン６０，６５を復帰させる第１，第２コイルバネ７０，７１と、カバー８０と、で構成されている。
【００３８】
前記ベース１０は、図１７Ａに示すように、その上面に後述する回路基板３０を収納する収納溝１１を設けてある。前記収納溝１１は、その一方側に設けた第１スライド溝１３に連通するとともに、その他方側に設けた第２スライド溝２２に連通している。前記第１スライド溝１３は、その外方に設けた切り欠き部１３ａを介して外部に連通している。一方、前記第２スライド溝２２は、その外方側に設けた切り欠き部２２ａを介して外部に連通しているとともに、前記切り欠き部２２ａの外側縁部には保護リブ１４を設けてある。そして、前記第１スライド溝１３は、その一端部を切り欠き溝１１ａを介して端子収納凹部１５に連通している。前記端子収納凹部１５の底面には、一対の位置決め突起１５ａ，１５ａを設けてある。他は前述の第１実施形態とほぼ同様であるので、同一部分には同一番号を付して説明を省略する。
【００３９】
回路基板３０は、図１７Ｂに示すように、５本の固定接点端子３１〜３５の固定接点部３１ａ〜３５ａを面一にインサート成形した断面略Ｔ字形の成形品であり、第１，第２固定接点端子３１，３２の第１，第２固定接点部３１ａ，３２ａは前記回路基板３０の両面から露出している一方、第３，第４，第５固定接点端子３３〜３５の第３，第４，第５固定接点部３３ａ〜３５ａは前記回路基板３０の裏面のみから露出している。また、前記回路基板３０の上端縁部から両側側方に延在する帯状リブ３０ａは前記ベース１０のスライド溝１３，２２を被覆する平面形状を有している。そして、前記回路基板３０は、その裏面に一対のガイドリブ３６ａ，３６ｂを同一直線状に水平にそれぞれ突設している一方、その表面に一対のガイドリブ３８ａ，３８ｂを同一直線状に水平にそれぞれ突設している。さらに、第１ないし第５固定接点端子３１〜３５の端子部３１ｂ〜３５ｂは所定のピッチで並ぶように支持板３７で支持されている。前記支持板３７は、その同一辺に一対の係止爪３７ａ，３７ａを設けてある。
【００４０】
なお、第１，第２固定接点端子３１，３２の第１，第２固定接点部３１ａ，３２ａは必ずしも前記回路基板３０の両面から露出する必要はなく、絶縁性を高めるため、前記第１，第２固定接点部３１ａ，３２ａも前記回路基板３０の片面からのみ露出するようにしてもよい。
【００４１】
第１スライドボタン６０は、図１５，１６に示すように、前記ベース１０の切り欠き部１３ａを介して第１スライド溝１３に嵌合できる平面形状を有し、その内向面に設けた収納溝６１に前記第１コイルバネ７０を収納できるとともに、前記収納溝６１の両側に前記回路基板３０のガイドリブ３６ａ，３６ｂに嵌合するガイドスリット６１ａ，６１ｂを設けてある。前記ガイドスリット６１ａ，６１ｂの下方側には一対の弾性接点部６２ａ，６２ａを備えた第１可動接触片６２をカシメ固定してある。前記弾性接点部６２ａは接触信頼性を高めるためにツイン接点構造となっている。また、前記第１スライドボタン６０は、その外向面に操作リブ６３を突設してある。
【００４２】
第２スライドボタン６５は、前記ベース１０の切り欠き部２２ａを介して第２スライド溝２２に嵌合できる平面形状を有し、その内向面に設けた収納溝６６に前記第２コイルバネ７１を収納できるとともに、前記収納溝６６の両側に前記回路基板３０のガイドリブ３８ａ，３８ｂに嵌合するガイドスリット６６ａ，６６ｂを設けてある。前記ガイドスリット６６ａ，６６ｂの下方側には一対の弾性接点部６７ａ，６７ａを備えた第２可動接触片６７をカシメ固定してある。前記弾性接点部６７ａは接触信頼性を高めるためにツイン接点構造となっている。また、前記第２スライドボタン６５は、その外向面に操作リブ６８を突設してある。
【００４３】
カバー８０は、前記ベース１０を被覆可能な平面形状を有し、その天井面に前記回路基板３０の支持板３７を抜け止めする断面コ字形の支持突起８２を設けてある。また、前記カバー８０は、その対向する辺の縁部に一対の略Ｕ字形の係合爪８３をそれぞれ設けてある。
【００４４】
前述の構成部品の組立方法について説明する。
まず、第１，第２スライドボタン６０，６５の収納溝６１，６６に第１，第２コイルバネ７０，７１をそれぞれ嵌合する。そして、前記第１，第２スライドボタン６０，６５のガイドスリット６１ａ，６１ｂおよび６６ａ，６６ｂを回路基板３０のガイドリブ３６ａ，３６ｂおよび３８ａ，３８ｂにそれぞれ嵌合したまま状態で、ベース１０の収納溝１１に前記回路基板３０を位置決めする。これと同時に、前記回路基板３０にインサート成形した第１ないし第５固定接点端子３１〜３５の第１ないし第５端子部３１ｂ〜３５ｂを前記ベース１０内の端子収納凹部１５内に挿入し、支持板３７の一対の係止爪３７ａ，３７ａを前記端子収納凹部１５の底面に設けた一対の位置決め突起１５ａ，１５ａに係合して位置決めする。これにより、前記第１ないし第５端子部３１ｂ〜３５ｂはコネクタ受け部１９内に突出する。これにより、第１，第２スライドボタン６０，６５の操作リブ６３，６８は前記ベース１０にスライド可能に装着される。そして、第１，第２スライドボタン６０，６５にそれぞれ設けた第１，第２可動接触片６２，６７の一対の弾性接点部６２ａ，６７ａが、前記回路基板３０にインサート成形した第１ないし第５固定接点部３１ａ〜３５ａに接離可能となる。ついで、前記ベース１０の上方からカバー８０を位置決めし、その係合爪８３を前記ベース１０の係合突起１７に係合することにより、抜け止めする。このとき、前記カバー８０の天井面に突設した支持突起８２が回路基板３０に設けた支持板３７を押さえ、ガタツキを防止する。
【００４５】
次に、前記スイッチの操作方法について説明する。
まずは、操作前では、図１８Ａに示すように、第１スライドボタン６０に設けた弾性接点部６２ａは回路基板３０に設けた固定接点部３２ａに接触していないとともに、第２スライドボタン６５に設けた弾性接点部６７ａは回路基板３０に設けた固定接点部３３ａ，３４ａに接触していない。
【００４６】
そして、第２スライドボタン６５を第２コイルバネ７１のバネ力に抗してスライドさせると、弾性接点部６７ａが第２固定接点部３２ａに接触し、第１，第２固定接点端子３１，３２が導通し、信号が出力される。
ついで、前記第２スライドボタン６５をスライドさせた状態のままで、第１スライドボタン６０をスライド移動させると（図１８Ｂ）、弾性接点部６２ａが第４，第５固定接点部３４ａ，３５ａに接触し、第４，第５固定接点端子３４，３５が導通し、信号を出力する。同様に、前記第１スライドボタン６０を逆方向にスライド移動させると、弾性接点部６２ａが第３，第５固定接点部３３ａ，３５ａに接触し、第３，第５固定接点端子３３，３５を導通し、信号を出力する。
【００４７】
なお、前述の実施形態では、２つの押しボタン４０，４５およびスライドボタン６０，６５を同時に使用する場合について説明したが、必ずしも常に同時に使用する必要はなく、必要に応じて片側の押しボタンあるいはスライドボタンだけを使用してもよいことは勿論である。
また、前記回路基板３０の表裏面には、複数の操作部材である押しボタンあるいはスライドボタンをそれぞれ配置してもよいことは勿論である。
【産業上の利用可能性】
【００４８】
本発明は、前述のスイッチに限らず、他のスイッチに適用してもよいことは勿論である。また、本発明に係るスイッチは乗用車に限らず、他の機器に適用してもよいことは勿論である。
【符号の説明】
【００４９】
１０  ベース
１１  収納溝
１２，２０  嵌合凹部
１３，２２  スライド溝
１５  端子収納凹部
３０  回路基板
３０ａ  帯状リブ
３１〜３５  固定接点端子
３１ａ〜３５ａ  固定接点部
３１ｂ〜３５ｂ  端子部
３７  支持板
４０，４５  押しボタン
４１，４６  操作突部
４２，４７  可動接触片
４２ａ，４７ａ  弾性接点部
５０，５１  コイルばね
６０，６５  スライドボタン
６１，６６  収納溝
６１ａ，６１ｂ，６７ａ，６７ｂ  ガイドスリット
６２，６７  可動接触片
６２ａ，６７ａ  弾性接点部
７０，７１  コイルバネ
８０  カバー
８１，８４  操作孔
【図１】
2015109187.tif 000003
【図２】
2015109187.tif 000004
【図３】
2015109187.tif 000005
【図４】
2015109187.tif 000006
【図５】
2015109187.tif 000007
【図６】
2015109187.tif 000008
【図７】
2015109187.tif 000009
【図８】
2015109187.tif 000010
【図９】
2015109187.tif 000011
【図１０】
2015109187.tif 000012
【図１１】
2015109187.tif 000013
【図１２】
2015109187.tif 000014
【図１３】
2015109187.tif 000015
【図１４】
2015109187.tif 000016
【図１５】
2015109187.tif 000017
【図１６】
2015109187.tif 000018
【図１７】
2015109187.tif 000019
【図１８】
2015109187.tif 000020